【手続補正書】
【提出日】平成27年10月28日(2015.10.28)
【手続補正１】
【補正対象書類名】特許請求の範囲
【補正対象項目名】全文
【補正方法】変更
【補正の内容】
【特許請求の範囲】
【請求項１】
帯状の被処理物に連続的に部分めっきを施す方法であって、
a) 前記被処理物の厚さよりもやや広い間隔を空けて、供給側スリットと回収側スリットを互いに対向するように配置する工程と、
b) 前記供給側スリットからめっき液を流出させるめっき液供給工程と、
c) 前記回収側スリットからめっき液を吸引するめっき液回収工程と、
d) 前記被処理物を、前記供給側スリットと回収側スリットの間を、該被処理物の長手方向が両スリットに平行となるように移動させる搬送工程と
を含むことを特徴とする部分めっき方法。
【請求項２】
前記供給側スリット及び前記回収側スリットのスリット長が、前記帯状の被処理物の、隣接する貫通部間の長さの最大値以上であることを特徴とする請求項１に記載の部分めっき方法。
【請求項３】
帯状の被処理物に連続的に部分めっきを施す装置であって、
a) 前記被処理物をその長手方向に移動させる搬送手段と、
b) 前記被処理物の移動路を挟んで対向するように配置されためっき液供給部及びめっき液回収部と、
c) 前記めっき液供給部及びめっき液回収部の対応する位置にそれぞれ、前記被処理物の移動方向に平行となるように設けられた供給側スリット及び回収側スリットと、
d) 前記めっき液供給部にめっき液を供給するめっき液供給手段と、
e) 前記めっき液回収部を低圧にする吸引手段と
を備えることを特徴とする部分めっき装置。
【請求項４】
前記供給側スリット及び前記回収側スリットのスリット長が、前記帯状の被処理物の、隣接する貫通部間の長さの最大値以上であることを特徴とする請求項３に記載の部分めっき装置。
【請求項５】
前記供給側スリット及び前記回収側スリットの対が、前記めっき液供給部及び前記めっき液回収部に複数、平行に設けられていることを特徴とする請求項３又は４に記載の部分めっき装置。
【手続補正２】
【補正対象書類名】明細書
【補正対象項目名】００１６
【補正方法】変更
【補正の内容】
【００１６】
前記供給側スリット／回収側スリットの対は、前記めっき液供給部及びめっき液回収部に複数、平行に設けられてもよい。
【手続補正３】
【補正対象書類名】明細書
【補正対象項目名】００２１
【補正方法】変更
【補正の内容】
【００２１】
めっき液供給部２０は、めっき液槽２１と、めっき液供給セル２２と、めっき液槽２１からめっき液供給セル２２にめっき液を送り出す供給用ポンプ２３と、めっき液の流量を測定する流量計２４から成る（図４）。本実施例では、めっき液供給セル２２は、図５(a)及び(b)に示すように、奥行Dが約24 mm、高さHが約26 mm、長さLが約28 mmの直方体である。後述のめっき液回収部３０のめっき液回収セル３２と向かい合う面には、図５(a)、(b)に示すように、供給スリットプレート２５と呼ばれる表面板がネジ２７により固定されている。供給スリットプレート２５の下方には、搬送部４０により搬送される帯状被処理物１１の進行方向に平行に配置された供給側スリット２６が設けられている。供給側スリット２６の長さl（図５(a)）はめっき液供給セル２２の長さLに近い長さ（本実施例では、20 mm）としておく。供給側スリット２６の幅w1（図５(a)）は、被処理物１１のめっき処理すべき部分の幅（図３(a)の例では0.45 mm）に応じて定めるが、めっき液が表面張力により多少広がることを考慮して、それよりもやや小さい値（本実施例では、0.2 mm）としておく。図５(b)に示すように、供給側スリット２６の内部下方にはプラチナ（Pt）電極２９が埋設されており、このPt電極２９は電源装置５０の陽極端子に接続されている。めっき液供給セル２２の、供給スリットプレート２５に対向する面にはめっき液供給口２８が設けられている。供給用ポンプ２３は流量制御型のポンプであり、めっき液供給セル２２に供給するめっき液の流量が所定の値となるように制御する。
【手続補正４】
【補正対象書類名】明細書
【補正対象項目名】００２２
【補正方法】変更
【補正の内容】
【００２２】
図４に示すように、めっき液回収部３０は、めっき液回収セル３２と、めっき液回収セル３２内を低圧にする回収用ポンプ３３と、回収しためっき液から空気を分離し、めっき液槽２１に戻すめっき液分離部３１とから成る。図６(a)、(b)に示すように、めっき液回収セル３２はめっき液供給セル２２と同じ寸法の直方体で、めっき液供給セル２２に対向する面には回収スリットプレート３５と呼ばれる表面板がネジ３７により固定されている。回収スリットプレート３５の、供給側スリット２６に対向する位置には、供給側スリット２６と同じ長さlで、供給側スリット２６の幅w1より大きな幅w2（本実施例では、0.4 mm）の回収側スリット３６が設けられている。回収側スリット３６の内部下方には、供給側スリット２６と同様に電源装置５０の陽極端子に接続されたプラチナ（Pt）電極３９が埋設されている。めっき液回収セル３２では底面にめっき液回収口３８が設けられている。めっき液回収セル３２には圧力計３４が設けられており、回収用ポンプ３３はめっき液回収セル３２内の圧力と大気圧の差が所定値となるようにめっき液回収セル３２からのめっき液の吸引量を制御する。
【手続補正５】
【補正対象書類名】明細書
【補正対象項目名】００２４
【補正方法】変更
【補正の内容】
【００２４】
搬送部４０は、ロール状に巻かれた被処理物１１を引き出す引き出しローラと、部分めっき処理が施された被処理物１１を巻き取る巻き取りローラと、引き出しローラと巻き取りローラの間に、前記めっき液供給セル２２と前記めっき液回収セル３２を挟んで設けられた1対のテンションローラから構成される。1対のテンションローラは、両スリット２６、３６間で被処理物１１に僅かにテンション（張力）が掛かった状態となるように、設定されている。また、搬送部４０には電源装置５０の陰極端子が接続されており、被処理物１１に負の電位が印加されるように設定されている。
【手続補正６】
【補正対象書類名】明細書
【補正対象項目名】００３０
【補正方法】変更
【補正の内容】
【００３０】
制御部６０は、引き出しローラ又は搬送部４０に設けられた、帯状の被処理物１１の終端検出器からの出力に基づき、被処理物１１の終端が検出されるまで上記各部の動作を続ける（ステップＳ１５）。被処理物１１の終端が検出された時点で部分めっき処理が終了し、制御部６０は搬送部４０や供給用ポンプ２３、回収用ポンプ３３、電源装置５０などの動作を停止する（ステップＳ１６）。
【手続補正７】
【補正対象書類名】明細書
【補正対象項目名】００３８
【補正方法】変更
【補正の内容】
【００３８】
１０…部分めっき装置
１１、１１１…帯状の被処理物
１３、１１３…FPCコネクタ端子
１６、１１６…実装部
１１４、１１５…接点部
２０…めっき液供給部
２１…めっき液槽
２２…めっき液供給セル
２３…供給用ポンプ
２５…供給スリットプレート
２６…供給側スリット
２９…Pt電極
３０…めっき液回収部
３１…めっき液分離部
３２…めっき液回収セル
３３…回収用ポンプ
３５…回収スリットプレート
３６…回収側スリット
３９…Pt電極
４０…搬送部
５０…電源装置
６０…制御部
６１…入力部